(57)【要約】【課題】  簡単に異相間接続を可能とする電力線通信結合装置を提供する。【解決手段】  ３線式電力線の異なる位相の電力線間で、電力線１３を利用して情報を伝達する。電力線１３に接続されたコンセント１８，１９に差し込まれる一対のプラグ２０，２１と、各プラグ２０，２１に接続された異相コンセント検出回路部３０と、各プラグ２０，２１に接続された異相間結合回路部３２とを備える。異相コンセント検出回路部３０と異相間結合回路部３２とを、切換可能にオン、オフさせるスイッチＳＷ１１，ＳＷ１２，ＳＷ２１，ＳＷ２２を設ける。【選択図】図１
2007043618.tif 000002
【特許請求の範囲】
【請求項１】
３線式電力線の異なる位相の電力線間で、電力線を利用して情報を伝達するための電力線通信結合装置において、家屋内に配線されている電力線に接続されたコンセントに差し込まれる一対のプラグと、この各プラグに接続された異相コンセント検出回路部と、前記各プラグに接続され前記異なる異相の電力線間で通信用信号の授受を行う異相間結合回路部とを備え、前記異相コンセント検出回路部と異相間結合回路部とを切換可能にオン、オフさせるスイッチを設けたことを特徴とする電力線通信結合装置。
【請求項２】
前記異相コンセント検出回路部は、前記各プラグに接続されたスイッチとＬＥＤを備えた請求項１記載の電力線通信結合装置。
【請求項３】
前記異相間結合回路部は、通信用信号を授受するパルストランスを備えた請求項１または２記載の電力線通信結合装置。
【請求項４】
前記一対のプラグには、電力線の極性を区別するマークが設けられた請求項１記載の電力線通信結合装置。
【発明の詳細な説明】
【技術分野】
【０００１】
この発明は、３線式電力線の異なる位相の電力線間で、電力線を利用して情報を伝達するための電力線通信結合装置に関する。
【背景技術】
【０００２】
従来、電力線を利用した通信は、既存の電力線を利用することにより、別途通信回線を設ける必要がないという利点があり、実用化されている。この電力線通信においては、事務所や家庭内に配線されている電力線が単層３線式電力線であり、電力線を利用した通信を行うには、位相の異なる電力線間においては、電力線通信用信号（ＰＬＣ信号）の周波数フィルタを有した結合器が必要となる。この異相間通信結合器２は、図３に示すように、電力線３が接続された家屋４の分電盤６内に設置されている。これにより、異なるＬ１相、Ｌ２相の電力線につながれたコンセント８，９においても、異相間通信結合器２を介して情報通信用信号の授受が行われ、単層３線式電力線の異なる位相の電力線間での通信が可能となる。
【０００３】
また、特許文献１に開示されているように、コンセントプラグを利用して、電力線の異相間結合を図り、また、伝達特性の悪い電力線に対して迂回路を形成し、通信品質を改善するコネクタ装置も提案されている。
【特許文献１】特開２００３−２３４６８１号公報
【発明の開示】
【発明が解決しようとする課題】
【０００４】
上記従来の技術の場合、家屋４内の分電盤６に異相間通信結合器２を取り付けるため、取り付け工事は電気工事士が行わなければならず、簡単に電力線通信を利用することができず、電力線通信の普及の妨げとなっていた。また、上記特許文献１のようにコンセントプラグを用いて、電力線通信を利用しようとしても、一般の利用者が、屋内の配線の中で、どの配線の組み合わせが異相または同相であるかを容易に判別できないものであった。
【０００５】
この発明は、上記従来技術の問題に鑑みて成されたもので、電力線を利用した通信に際して、異相間の電力線の組み合わせを容易に確認することができ、簡単に異相間接続を可能とする電力線通信結合装置を提供することを目的とする。
【課題を解決するための手段】
【０００６】
この発明は、３線式電力線の異なる位相の電力線間で、電力線を利用して情報を伝達するための電力線通信結合装置において、家屋内に配線されている電力線に接続されたコンセントに差し込まれる一対のプラグと、この各プラグに接続された異相コンセント検出回路部と、前記各プラグに接続され前記異なる異相の電力線間で通信用信号の授受を行う異相間結合回路部とを備え、前記異相コンセント検出回路部と異相間結合回路部とを切換可能にオン、オフさせるスイッチを設けた電力線通信結合装置である。
【０００７】
前記異相コンセント検出回路部は、前記各プラグに接続されたスイッチとＬＥＤを備えたものである。また、前記異相間結合回路部は、通信用信号を授受するパルストランスを備えたものである。
【０００８】
前記一対のプラグには、電力線の極性を区別するマークが設けられている。
【発明の効果】
【０００９】
この発明の電力線通信結合装置によれば、電力線通信を行う際に、家屋の居住者等の一般の利用者が容易に異相の電力線を確認することができ、特別の技能や資格を有しなくても、簡単に電力線通信を可能にしたものである。
【発明を実施するための最良の形態】
【００１０】
以下、この発明の電力線通信結合装置の実施形態について説明する。図１、図２はこの発明の一実施形態を示すもので、この実施形態の電力線通信結合装置１０は、単相３線式電力線の異なる位相の電力線間で、電力線を利用して情報信号を伝達するためのものである。
【００１１】
この実施形態の電力線通信結合装置は、図１に示すように、例えば家庭配線のコンセントであって、互いに異相のコンセント１８，１９に接続されるプラグ２０，２１を備える。プラグ２０には、電力線１３のホット側を区別するためのマーク２２が設けられている。プラグ２０，２１は、適宜の長さの情報通信用の一対のケーブル２４，２５の端部に各々接続されている。
【００１２】
各ケーブル２４，２５は、各々通信用信号を通過させる周波数フィルタである電源間挿入コンデンサ２６，２７及びコンデンサ２８，２９を介して、異相コンセント検出回路部３０と、異相間結合回路部３２に接続されている。
【００１３】
プラグ２０の一対のケーブル２４は、異相コンセント検出回路部３０に接続され、マーク２２側の一方のケーブル２４が、コンデンサ２６を介してスイッチＳＷ１１に直列に接続されている。スイッチＳＷ１１は、ダイオード３４のアノードにつながり、ダイオード３４のカソードは、抵抗３６を経てＬＥＤ３８のアノードに接続されている。そして、ＬＥＤ３８のカソードが、コンデンサ２７の一端及びプラグ２０につながった他方ケーブル２４に接続されている。
【００１４】
同様に、プラグ２１の一対のケーブル２５の一方は、コンデンサ２８を介してスイッチＳＷ１２に接続され、スイッチＳＷ１２は異相コンセント検出回路部３０のダイオード３４のアノードに接続されている。また、プラグ２１のマーク２２を付した側の他方のケーブル２５は、コンデンサ２９を介して、ＬＥＤ３８のカソードに接続されている。
【００１５】
さらに、プラグ２０の一対のケーブル２４は、コンデンサ２６，２７を経て分岐し、異相間結合回路部３２に接続されている。異相間結合回路部３２では、マーク２２の付いた側の一方のケーブル２４から分岐部を経て、スイッチＳＷ２１が直列に接続され、さらに通信用信号を授受するパルストランス４０の一方のコイル４０ａの一端に接続されている。そして、コイル４０ａの他端は、プラグ２０につながった他方のコンデンサ２７につながっている。
【００１６】
パルストランス４０の他方のコイル４０ｂは、一端がプラグ２１に接続されたケーブル２５の一方のコンデンサ２８とスイッチＳＷ１２の間に接続されている。コイル４０ｂの他方の端子は、スイッチＳＷ２２を介してケーブル２５の他方のコンデンサ２９とＬＥＤ３８のカソード間に接続され、コンデンサ２９を介してマーク２２が付いた側につながったケーブル２５に接続されている。
【００１７】
この実施形態の電力線通信結合装置１０の使用方法は、まず、電力線通信に使用するコンセント１８，１９にプラグ２０，２１を接続する。このとき、コンセント１８，１９の極性を確認する。通常は、コンセントの一対のスリットのうち、わずかに短いスリットがホット側である。また、確認方法としては検電ドライバにより簡単に確認することができる。そして、コンセントのホット側に、マーク２２が付いた側の端子を対向させるようにして、プラグ２０，２１をコンセント１８，１９に差し込む。
【００１８】
次に、異相コンセント検出回路部３０のスイッチＳＷ１１，ＳＷ１２をオンし、異相間結合回路部３２異相間結合回路部３２のスイッチＳＷ２１，ＳＷ２２をオフにする。これにより、異相コンセント検出回路部３０のＬＥＤ３８が点灯すると、コンセント１８，１９は異相であることがわかる。点灯しない場合は、コンセント１８，１９は同相であり、そのコンセント１８，１９は、そのまま電力線通信に利用することができる。しかし、その建物等で電力線通信を行うためには、異相間結合回路を電力線に取り付けなければならないので、ＬＥＤ３８が点灯しない場合は、コンセント１８，１９の組み合わせを変えて異なるコンセントにプラグ２０，２１を差して同様に検査し、ＬＥＤ３８が点灯するまで検査を行う。
【００１９】
ＬＥＤ３８が点灯すると、スイッチＳＷ１１，ＳＷ１２をオフにして、異相間結合回路部３２のスイッチＳＷ２１，ＳＷ２２をオンにする。これにより、電力線１３の異なる系統のＬ１相，Ｌ２相間で、通信のための結合がなされる。
【００２０】
この実施形態の電力線通信結合装置１０は、家屋内等のコンセントにプラグ２０，２１を差し込むだけで、電力線１３の組み合わせが異相か否かを判別することができ、異相である場合はプラグ２０，２１を差し込んだ状態とするだけで簡単に異相間結合がなされ、電力線通信が可能となる。
【００２１】
なお、この発明の電力線通信結合装置は、上記実施形態に限定されず、異相コンセント検出回路部は、ＬＥＤ以外の音等の検出方法でも良く、異相間結合回路部の構成も、使用する通信用信号の周波数に合わせて回路を設定することができる。
【図面の簡単な説明】
【００２２】
【図１】この発明の一実施形態の電力線通信結合装置の概略回路図である。
【図２】この実施形態の電力線通信結合装置の家屋内での使用方法を示す模式図である。
【図３】従来の電力線通信結合装置の設置例を示す模式図である。
【符号の説明】
【００２３】
１０  電力線通信結合装置
１３  電力線
１４  家屋
１６  分電盤
１８，１９  コンセント
２０，２１  プラグ
２２  マーク
２４，２５  ケーブル
３０  異相コンセント検出回路部
３２  異相間結合回路部
３８  ＬＥＤ
４０  パルストランス
【図１】
2007043618.tif 000003
【図２】
2007043618.tif 000004
【図３】
2007043618.tif 000005